(57)【要約】      （修正有）【課題】横断面が弧状に湾曲した、美観に優れる引戸を用いつつ、引戸がスムーズに移動可能な引戸装置を提供する。【解決手段】上部壁２と下部壁３との間の開口部４に配される、横断面が弧状に湾曲した引戸５，６と、引戸５，６が弧を描いて左右方向に移動するように案内する案内レール７１，７２，８１を備え、前記案内レールは、弾性を有する細長い板状材を引戸５，６に沿うように弾性変形により湾曲させて形成したことを特徴とする。【選択図】図１
0003156751.tif 000002
【実用新案登録請求の範囲】
【請求項１】
上部壁と下部壁との間の開口部に配される、横断面が弧状に湾曲した引戸と、前記上部壁及び／又は下部壁に固定され、前記引戸が弧を描いて左右方向に移動するように案内する案内レールとを備え、前記案内レールは、弾性を有する細長い板状材を前記引戸の外面又は内面の曲率に合わせて弾性変形により湾曲調整して形成したことを特徴とする引戸装置。
【請求項２】
前記案内レールを前記上部壁又は下部壁に固定する固定部が、案内レールの左右方向に間隔をおいて複数形成され、前記固定部によって、前記案内レールは湾曲した状態のまま、案内レールの幅方向が垂直方向に向くように立てた姿勢で前記上部壁又は下部壁に固定されることを特徴とする請求項１記載の引戸装置。
【請求項３】
前記案内レールが下部壁に固定され、前記案内レールの底部に、引戸を搬送するためのコロが左右方向に間隔をおいて複数取り付けられたことを特徴とする請求項２記載の引戸装置。
【請求項４】
前記開口部に曲率の異なる複数の引戸が配置され、各引戸の案内レールがそれぞれ案内する引戸の外面又は内面の曲率に合わせて湾曲して同心円上に配され、各引戸が互いに引違いに左右方向に移動可能とされたことを特徴とする請求項１〜３のいずれかに記載の引戸装置。
【考案の詳細な説明】
【技術分野】
【０００１】
本考案は、収納室や展示ケース等において、上部壁と下部壁との間の開口部に設置される引戸装置に関するものであり、特に引戸の形状が、横断面が弧状に湾曲した形状を有するものに関する。
【背景技術】
【０００２】
従来の展示ケースは、特許文献１に示すように、外観が箱型でその前面壁に開口部が形成される。展示ケースの開口部には、平板状の引戸（ガラス戸）と、引戸を左右方向に移動可能に案内する案内レールとを備えた引戸装置が設置される。しかし、展示ケースもインテリアのひとつと考えれば箱型以外のユニークな形状を採用できれば新たな需要を喚起することができる。
【０００３】
新たな展示ケースの形状として、たとえば、横断面が扇形形状のものや、柱に模した円柱状の形状が考えられる。このような場合には、引戸であるガラス戸を横断面が弧状となるように湾曲させる必要が生じる。また、案内レールもガラス戸の曲面に沿うように弧状に湾曲させ、引戸が弧状の軌道上をスムーズに移動できるようにする必要が生じる。
【先行技術文献】
【特許文献】
【０００４】
【特許文献１】特開平４−２１６７８８号公報
【考案の概要】
【考案が解決しようとする課題】
【０００５】
しかしながら、ガラス板と案内レールをあらかじめ決められた曲率に正確に湾曲させるのは困難であり、実際に製造した引戸を案内レールに合わせたときに、両者の曲率にずれが生じる場合がある。そうすると、引戸がスムーズに移動できなくなるといった問題があった。
【０００６】
そこで、本考案は、引戸として美観に優れる、横断面が弧状に湾曲したものを用いつつ、引戸がスムーズに移動可能な引戸装置を提供することを目的とする。
【課題を解決するための手段】
【０００７】
上記目的を達成するため、本考案に係る引戸装置は、上部壁と下部壁との間の開口部に配される、横断面が弧状に湾曲した引戸と、前記上部壁及び／又は下部壁に固定され、前記引戸が弧を描いて左右方向に移動するように案内する案内レールとを備え、前記案内レールは、弾性を有する細長い板状材を前記引戸の外面又は内面の曲率に合わせて弾性変形により湾曲調整して形成したことを特徴とする。
【０００８】
上記構成によれば、案内レールはあらかじめ湾曲させたものを使用するのではなく、実際に用いる引戸の湾曲度に合わせて湾曲させるため、引戸と案内レールとの間で曲率の不一致が生じるおそれがなく、引戸をスムーズに移動させることが可能となる。
【０００９】
案内レールは上部壁及び／又は下部壁に設置される。ただ、引戸のぐらつきを抑えることができる点で、上部壁及び下部壁の両方に案内レールを設置するのが好ましい。
【００１０】
案内レールには、案内レールを上部壁又は下部壁に固定する固定部が設けられる。固定部は、案内レールの左右方向に間隔をおいて複数形成され、この固定部によって前記案内レールは湾曲した状態のまま、案内レールの幅方向が垂直方向に向くように立てた姿勢で前記上部壁又は下部壁に固定される。
【００１１】
上記構成によれば、引戸の湾曲面に案内レールの湾曲面を沿わせることが可能となり、引戸をスムーズに移動させることが可能となる。また、案内レールは、弾性変形して応力がかかった状態のまま、上部壁又は下部壁に固定されるため剛性が高くなる。従って、外部から力がかかっても変形しにくく、引戸の移動軌道が安定し、よりスムーズに引戸を移動させることができる。
【００１２】
さらに、固定部を案内レールに対して左右方向に間隔をおいて複数形成するようにしたため、案内レールを湾曲させたときに、固定部同士が重なり合うことがなく、案内レールを任意に湾曲させることが可能となる。
【００１３】
固定部は、案内レールとは別の部材で形成することができる。たとえば、断面Ｌ字型やコ字型の金具を用い、これを案内レールに一体的に取り付けることにより固定部とすることができる。また、案内レールを幅方向一端側で折曲して折曲部を形成し、この折曲部を切り欠いて複数の固定部を形成するようにしてもよい。
【００１４】
また、前記案内レールが下部壁に固定され、前記案内レールの底部に、引戸を搬送するためのコロが左右方向に間隔をおいて複数取り付けられた構成とすることができ、これにより、弱い力でもスムーズに引戸を移動させることが可能となる。
【００１５】
引戸は開口部に１枚設置するだけでなく、曲率の異なる複数の引戸を開口部に配置することができる。この場合、各引戸の案内レールは、それぞれ案内する引戸の外面又は内面の曲率に合わせて湾曲して同心円上に配され、各引戸が互いに引違いに左右方向に移動可能な構成とすればよい。
【００１６】
案内レールは、引戸の外面及び内面のうち、少なくともいずれかの面に沿うように設置される。好ましくは、案内レールは、引戸の内面に沿うように設置される。これにより、引戸をスムーズに移動させることができる。さらに、引戸の外面及び内面に沿うように、すなわち、引戸の両面に案内レールを設けることも可能である。これにより、引戸が案内レールの軌道から外れることを防止することができる。なお、引戸が案内レールの軌道から逸脱するのを抑えるには、引戸の両面に案内レールを設けるほかに、一方の案内レールの代わりにガイドピン等のガイド部材を配置することも可能である。
【００１７】
引戸装置で用いられる引戸は、内部が視認可能なガラス製が好ましく、ガラスの材質としては、無機ガラスのほか、ポリカーボネートやポリアクリレート等の有機ガラスを使用することができる。
【考案の効果】
【００１８】
以上の説明から明らかな通り、本考案によると、横断面が弧状に湾曲した引戸を案内する案内レールとして、弾性を有する細長い板状材を前記引戸に沿うように弾性変形により湾曲させて形成したものを用いたため、湾曲した引戸であってもスムーズに移動させることが可能となる。
【図面の簡単な説明】
【００１９】
【図１】本考案の引戸装置を備えた展示ケースを示す外観斜視図
【図２】図１の一部断面図
【図３】展示ケースに１枚目の引戸を組み入れる状態を示す斜視図
【図４】図３において１枚目の引戸を組み入れた状態を示す斜視図
【図５】下レールを下部壁に取り付ける際の状態を示す斜視図
【図６】すべての案内レールを設置した状態を示す斜視図
【図７】湾曲させた状態の下レールを示す斜視図
【図８】図７における一部拡大図
【図９】上レールを示す平面図であり、（ａ）は湾曲させる前の状態を示し、（ｂ）は湾曲させた後の状態を示す。
【図１０】図２におけるガイド部材を示す側面図
【図１１】展示ケースの別の態様を示す断面図
【考案を実施するための形態】
【００２０】
以下、本考案の実施形態である引戸装置を図面に基づいて説明する。図１は、本考案に係る引戸装置を備えた略半円柱状の展示ケースを示す外観斜視図であり、図２はその一部断面図である。
【００２１】
図１及び図２に示すように、本実施形態における展示ケース１は、後壁１０の上端部と下端部とに、それぞれ同形の略半円形に形成された上部壁２と下部壁３とが接続された形状とされており、上部壁２の外周縁と下部壁３の外周縁との間に開口部４が形成される。開口部４には引戸装置が設置される。
【００２２】
引戸装置は、引戸５及び６と、引戸を左右方向に移動するように案内する案内レールとを備えている。引戸５及び６は、それぞれガラス板からなり、この２枚の引戸５及び６によって開口部４が開閉自在とされる。引戸５及び６は、上部壁２及び下部壁３の外周縁に沿うように左右方向に一定の曲率で湾曲するように形成される。すなわち、引戸５及び６の横断面の形状は、上部壁２及び下部壁３の外周縁が描く円弧中心と同心の弧状に形成される。
【００２３】
なお、引戸５及び６の間でも、両者の曲率が異なるように形成される。具体的に、引戸５の曲率が引戸６の曲率よりも少し小さくなるように形成される。すなわち、引戸５及び６は、互いに同心円上で、引戸５が外側で引戸６が内側になるように配置される。これにより、両者は、互いに引違いに左右方向に弧を描きながら移動可能とされる。引戸５及び６の上端部及び下端部は保護層９によって保護されている。保護層９は合成樹脂からなり、例えば、塩化ビニル樹脂を使用することができる。
【００２４】
引戸５及び６には、それぞれの移動を案内する案内レールが設置される。具体的には、引戸６を案内する案内レールとして、上部壁２に取り付けられて引戸６の上端部を案内する案内レール（上レール）７１と、下部壁３に取り付けられて引戸６の下端部を案内する案内レール（下レール）７２とを備えている。引戸６を案内する案内レール７１，７２は、引戸６の内面に沿うように配置される。
【００２５】
また、引戸５を案内する案内レールとして、上部壁２に取り付けられて引戸５の上端部を案内する案内レール（上レール）８１と、下部壁３に取り付けられて引戸５の下端部を案内する案内レール（下レール）８２とを備えている。引戸５を案内する案内レールのうち、下レール８２は引戸６の内面に沿うように配置され、上レール８１は引戸５の外面に沿うように配置される。
【００２６】
上レール７１，８１及び下レール７２，８２は、いずれも細長い金属製の板状材を引戸に沿うように弾性変形により湾曲させて形成される。各レールには、レールを上部壁２又は下部壁３に固定するための固定部が設けられる。なお、各レールの先端部は、板状材の断面で手を切ることがないように折り返されている。
【００２７】
下レール７２及び８２には、それぞれレールを下部壁３に固定するための固定部１１が設けられている。固定部１１は、断面Ｊ字型の金具を下レール７２，８２に固定することによって形成される。固定部１１は、下レール７２，８２の左右方向に間隔をおいて複数設けられる。
【００２８】
上レール７１及び８１には、それぞれレールを上部壁２に固定するための固定部１２が設けられている。固定部１２は、上レール７１及び８１を幅方向一端側で折曲して折曲部を形成し、この折曲部を切り欠くことによって複数の固定部１２が形成される。
【００２９】
以下、本実施形態の引戸装置を展示ケースに設置方法について、図面に基づいて説明する。まず、展示ケース１内に引戸６の案内レールである上レール７１及び下レール７２が設置される。具体的に、図３に示すように、湾曲形成した引戸６内面の曲率を測定する。ついで、図７に示すように、下レール７２を引戸６の内面と同じ曲率になるように弾性変形により湾曲させる。
【００３０】
下レール７２は、幅方向一端側を下にし、幅方向他端側を上向きにして垂直に立てた姿勢で下部壁３に固定される。そのため、下レール７２を立てた姿勢でその底部に固定部１１が設けられる。固定部１１には引戸６の移動をスムーズに行うためのコロ１３が一体的に取り付けられている。下レール７２は、所定の曲率に湾曲された状態でビス等の係止手段によって固定部１１が下部壁３に固定される。
【００３１】
上レール７１は、幅方向一端部に複数の固定部１２が設けられている。これを、引戸６の内面と同じ曲率になるように弾性変形により湾曲させる。なお、上レール７１は、固定部１２が半径方向外方になるように湾曲させる。
【００３２】
上レール７１は、幅方向一端側（固定部１２が設けられている側）を上にし、幅方向他端側を下向きにして垂下した姿勢で所定の曲率に湾曲された状態のままビス等の係止手段によって固定部１２が上部壁２に固定される。
【００３３】
以上のようにして展示ケース１内に上レール７１及び下レール７２を設置した状態で、引戸６をこれらのレールに沿うように配置する。引戸６は、図４に示すように、下レール７２の複数のコロ１３の上に載置され、引戸６の下面が転動面６ａとされる。したがって、軽い力で引戸６を左右方向に移動させることができる。
【００３４】
次に、図５に示すように、展示ケース１内に引戸５の案内レールである上レール８１及び下レール８２が設置される。案内レールの設置方法は、上述した上レール７１及び下レール７２のときと同様である。引戸５は、図２に示すように、下レール８２の複数のコロ１３の上に載置され、引戸５の下面が転動面５ａとされる。
【００３５】
なお、上レール８１を湾曲させるときは、図９（ａ）および図９（ｂ）に示すように、固定部１２が半径方向内方になるように、すなわち、上レール７１のときとは逆の方向に湾曲させる。したがって、上レール８１の曲率は、引戸５の外面の曲率に合わせる。これにより、展示ケース１を正面から見た場合、上レール８１のみが見え、固定部１２は見えないため、美観を損なうことがない。
【００３６】
上述のごとく、上レール８１は引戸５の外面側に配され、上レール７１は引戸６の内面側に配される。そうすると、引戸５と、引戸６とが接触するおそれが生じる。そこで、そのような事態を回避するために、図１に示すように、上レール７１及び８１の左右方向中央の位置で、両レールの間にガイド部材１４が設置される。ガイド部材１４は、図１０に示すように、断面Ｅ字型とされる。
【００３７】
すなわち、ガイド部材１４は、隣接した２つの凹部を有した形状とされる。そして、ガイド部材１４には、図２に示すように、凹部ごとに引戸５の上端部と引戸６の上端部を係合させる。これにより、引戸５と、引戸６とが直接接触するのを防止し、各引戸５及び６の左右方向へのスムーズな移動が可能となる。
【００３８】
本実施形態においては、引戸５及び６は左右方向に湾曲しているため、自立性を有している。さらに、引戸５及び６の上端部は、上レール７１及び８１と、ガイド部材１４とによって前後方向への移動が規制される。これにより、引戸５及び６は、左右方向への移動時にぐらついたり案内レールから外れるおそれはない。
【００３９】
また、図６に示すように、引戸６の下端部は、下レール７２及び８２によって囲まれるため、案内レール７２から外れるのを確実に防止することができる。さらに、下レール８２の前面側（引戸５の外面側）には、下レール３２を目隠しするためのカバー材１５が配されている。カバー材１５は、案内レールと同様に、細長い金属製の板状材からなり、弾性変形により湾曲させながら、係止手段によって固定する。これにより、引戸５の下端部が、下レール８２と、カバー材１５によって囲まれるため、案内レール８２から外れるのを確実に防止することができる。
【００４０】
以上説明した展示ケース１は、開口部４に複数の引戸５，６が配された態様であったが、これに限らず、例えば、図１１に示すように、開口部４に１枚の引戸５を配した態様を採用することも可能である。すなわち、本態様では、展示ケース１は略円柱状とされ、側面１６の一部に開口４が形成される。そして、下部壁３には、図１１に示すように、側壁１６よりも半径方向内方に下レール７２が形成される。そして、下レール７２と側壁１６との間に引戸５が配される。なお、上部壁には上レール（不図示）が配される。これにより、引戸は１枚でも開口部４の開閉が可能となる。
【符号の説明】
【００４１】
１          展示ケース
２          上部壁
３          下部壁
４          開口部
５，６      引戸
７１，８１  上レール
７２，８２  下レール
９          保護層
１０        後壁
１１        固定部
１２        固定部
１３        コロ
１４        ガイド部材
１５        カバー部材
１６        側壁
【図１】
0003156751.tif 000003
【図２】
0003156751.tif 000004
【図３】
0003156751.tif 000005
【図４】
0003156751.tif 000006
【図５】
0003156751.tif 000007
【図６】
0003156751.tif 000008
【図７】
0003156751.tif 000009
【図８】
0003156751.tif 000010
【図９】
0003156751.tif 000011
【図１０】
0003156751.tif 000012
【図１１】
0003156751.tif 000013